(57)【要約】【課題】高い精度のデジタルアナログ変換が不要であり且つ液晶の特性に起因して表示画像の再現性が悪化するのを防止できる液晶表示装置と液晶ドライバを提供する。【解決手段】メモリ部１２の画像データを構成する階調値Ｄが予め定められた最も高い階調値範囲または最も低い階調値範囲に含まれる場合、輝度制御部１３２は、階調値Ｄで液晶画素１１１の輝度を制御する。これにより、当該範囲でのみ８ビットのＤＡ変換が必要であり、この範囲では輝度の変化率が小さいので、高い変換精度が必要なく、規模の大きなＤＡ変換回路が不要である。また、階調値Ｄが当該範囲に含まれる場合に液晶画素１１１の輝度を階調値Ｄに応じたものにすることで、当該範囲において輝度が非線形に変化する液晶の特性に起因して、表示画像の再現性が悪化するのを防ぐことができる。【選択図】図１
2007183510.tif 000002
【特許請求の範囲】
【請求項１】
液晶を用いた液晶画素からなる液晶パネルと、
液晶画素の輝度を定めるための第１階調値から当該階調値の階調数より少ない階調数の第２階調値を生成する階調値生成手段、前記第１階調値が予め定められた最も高い階調値範囲または最も低い階調値範囲に含まれない場合は、当該液晶画素の輝度を該液晶画素に対応する複数の第２階調値のそれぞれに応じたものに順次する一方、前記第１階調値が前記最も高い階調値範囲または最も低い階調値範囲に含まれる場合は、当該液晶画素の輝度を当該第１階調値に応じたものにする輝度制御手段を備える液晶ドライバと
を有することを特徴とする液晶表示装置。
【請求項２】
液晶を用いた液晶画素からなる液晶パネルと、
液晶画素の輝度を定めるための第１階調値から当該階調値の階調数より少ない階調数の第２階調値を生成する階調値生成手段、前記第１階調値が予め定められた最も高い階調値範囲または最も低い階調値範囲に含まれない場合は、複数の液晶画素のそれぞれの輝度を該液晶画素に対応する第２階調値に応じたものにする一方、前記第１階調値が前記最も高い階調値範囲または最も低い階調値範囲に含まれる場合は、当該複数の液晶画素の輝度を当該第１階調値に応じたものにする輝度制御手段を備える液晶ドライバと
を有することを特徴とする液晶表示装置。
【請求項３】
液晶を用いた液晶画素からなる液晶パネルにおける液晶画素の輝度を定めるための第１階調値から当該階調値の階調数より少ない階調数の第２階調値を生成する階調値生成手段と、
前記第１階調値が予め定められた最も高い階調値範囲または最も低い階調値範囲に含まれない場合は、当該液晶画素の輝度を該液晶画素に対応する複数の第２階調値のそれぞれに応じたものに順次する一方、前記第１階調値が前記最も高い階調値範囲または最も低い階調値範囲に含まれる場合は、当該液晶画素の輝度を当該第１階調値に応じたものにする輝度制御手段と
を備えることを特徴とする液晶ドライバ。
【請求項４】
液晶を用いた液晶画素からなる液晶パネルにおける液晶画素の輝度を定めるための第１階調値から当該階調値の階調数より少ない階調数の第２階調値を生成する階調値生成手段と、
前記第１階調値が予め定められた最も高い階調値範囲または最も低い階調値範囲に含まれない場合は、複数の液晶画素のそれぞれの輝度を該液晶画素に対応する第２階調値に応じたものにする一方、前記第１階調値が前記最も高い階調値範囲または最も低い階調値範囲に含まれる場合は、当該複数の液晶画素の輝度を当該第１階調値に応じたものにする輝度制御手段と
を備えることを特徴とする液晶ドライバ。
【請求項５】
前記輝度制御手段は、各液晶画素の輝度が変化する要因となる当該液晶画素の液晶への印加電圧を定める信号線の電圧を第１階調値または第２階調値に応じたものにすることを特徴とする請求項３ないし４のいずれかに記載の液晶ドライバ。
【発明の詳細な説明】
【技術分野】
【０００１】
本発明は、高い精度のデジタルアナログ変換が不要であり且つ液晶の特性に起因して表示画像の再現性が悪化するのを防止できる液晶表示装置および液晶ドライバに関する。
【背景技術】
【０００２】
近年における液晶表示装置は、テレビジョン受像機、コンピュータの表示装置、携帯電話端末などの様々な機器に使用されている。
【発明の開示】
【発明が解決しようとする課題】
【０００３】
図３は、本発明の比較例としたアクティブマトリクス型液晶表示装置の構成図である。以下、アクティブマトリクス型液晶表示装置を単に液晶表示装置という。
【０００４】
図３の液晶表示装置１Ａは、液晶を用いた液晶画素１１１をマトリクス状に配置してなる液晶パネル１１と、８ビットの階調値Ｄを備えてなる画像データを記憶したメモリ部１２と、各液晶画素１１１の輝度を制御する液晶ドライバ１３Ａとを備える。
【０００５】
まず、液晶表示装置１Ａが、フレームレートコントロールという手法で、液晶画素１１１の輝度を制御する場合の動作を説明する。
【０００６】
ここでは、各液晶画素１１１に対応する８ビットの階調値Ｄを備えてなる画像データがメモリ部１２に記憶されていることとする。
【０００７】
液晶表示装置１Ａでは、液晶ドライバ１３Ａの階調値生成部１３１が、メモリ部１２の各階調値Ｄについて、６５階調の階調値ｄ１〜ｄ４またはｄ０’を生成する。
【０００８】
このとき、階調値生成部１３１は、まず、階調値Ｄの下位２ビットを切り捨て、その上位側に値「０」の１ビットを加えて６４階調の階調値ｄ０を生成し、その６４階調の階調値ｄ０の最下位ビットに対し「１」または「０」を加算することで、６５階調の階調値ｄ１〜ｄ４またはｄ０’を生成する。
【０００９】
これらの階調値は、対応する同一の液晶画素１１１の液晶への印加電圧を定めるものである。階調値ｄ１、ｄ２、ｄ３、ｄ４はそれぞれ、当該液晶画素１１１の、第１、第２、第３、第４フレームでの印加電圧を定めるものであり、階調値ｄ０’は、４フレームを通じての印加電圧を定めるものである。
【００１０】
図４は、階調値Ｄと６５階調の階調値の対応表である。例えば、階調値Ｄが「２５３」であるときは、階調値ｄ１、ｄ２、ｄ３、ｄ４が生成され、それぞれの値は、「６３」、「６３」、「６３」、「６４」となる。一方、例えば、階調値Ｄが「２５２」であるときは、階調値ｄ０’が生成され、その値は、「６３」となる。
【００１１】
図５は、生成された階調値ｄ１〜ｄ４またはｄ０’に対応する液晶画素１１１の輝度を制御する動作の説明図である。
【００１２】
階調値ｄ１〜ｄ４を生成した場合、輝度制御部１３２は、まず、第１フレームでは、階調値ｄ１を電圧へデジタルアナログ変換（ＤＡ変換）し、その電圧を、図５の液晶画素１１１に対応する走査線Ｙが駆動される水平走査期間に当該液晶画素１１１に対応する信号線Ｘに与えることで、当該走査線駆動により導通したトランジスタ（不図示）を介して当該液晶画素１１１の画素電極（不図示）の電圧を制御し、これにより、当該液晶画素１１１の輝度を階調値ｄ１に応じたものにする。
【００１３】
続く、第２フレームでは、同様にして、液晶画素１１１の輝度を階調値ｄ２に応じたものにする。続く、第３フレームでは、同様にして、液晶画素１１１の輝度を階調値ｄ３に応じたものにする。続く、第４フレームでは、同様にして、液晶画素１１１の輝度を階調値ｄ４に応じたものにする。
【００１４】
一方、階調値ｄ０’を生成した場合、同様にして、各フレームを通じて、液晶画素１１１の輝度を階調値ｄ０’に応じたものにする。
【００１５】
これにより、４フレームのトータルでの輝度が階調値Ｄに応じたものになる。
【００１６】
次に、液晶表示装置１Ａが、フレームレートコントロールとディザという手法を組み合わせて、液晶画素１１１の輝度を制御する場合の動作を説明する。
【００１７】
ここでは、一塊となった合計１６個の液晶画素１１１毎に階調値Ｄを備えてなる画像データがメモリ部１２に記憶されていることとする。
【００１８】
液晶ドライバ１３Ａの階調値生成部１３１は、メモリ部１２の各階調値Ｄについて、６５階調の階調値を６４個生成する。
【００１９】
その内の１６個の階調値は、図６（ａ）〜（ｄ）に示す１６個の液晶画素１１１の液晶への第１フレームでの印加電圧を定めるものである。
【００２０】
図６（ａ）は、これらの階調値の内の４個が階調値ｄ０に「１」を加算したものであり、残りの１２個が階調値ｄ０に「０」を加算したものであるときに、前者に対応する各液晶画素を「１」で示し、後者に対応する各液晶画素を「０」で示している。
【００２１】
輝度制御部１３２は、各液晶画素１１１に対応する６５階調の階調値をＤＡ変換し、その電圧を、当該液晶画素１１１に対応する走査線Ｙが駆動される水平走査期間において当該液晶画素１１１に対応する信号線に与えることで、第１フレームにおいては、当該液晶画素１１１の輝度を６５階調の階調値に応じたものにする。
【００２２】
続く、第２フレームでは、輝度制御部１３２は、１６個の液晶画素１１１の輝度を、残りの内の１６個の階調値に応じたものにする。図６（ｂ）は、第１フレームでの階調値が図６（ａ）に示すものであった場合の、第２フレームでの階調値を示している。
【００２３】
続く、第３フレームでは、輝度制御部１３２は、１６個の液晶画素１１１の輝度を、残りの内の１６個の階調値に応じたものにする。図６（ｃ）は、第１フレームについての階調値が図６（ａ）に示すものであった場合の、第３フレームについての階調値を示している。
【００２４】
続く、第４フレームでは、輝度制御部１３２は、１６個の液晶画素１１１の輝度を、残りの１６個の階調値に応じたものにする。図６（ｄ）は、第１フレームについての階調値が図６（ａ）に示すものであった場合の、第４フレームについての階調値を示している。
【００２５】
ちなみに、図７（ａ）に示すように、第１フレームでの階調値の全てが階調値ｄ０に「０」を加算したものであったときは、図７（ｂ）〜（ｄ）に示すように、第２、第３、第４フレームでの階調値も、その全てが階調値ｄ０に「０」を加算したものとなる。
【００２６】
また、図８（ａ）に示すように、第１フレームでの階調値の内の８個が階調値ｄ０に「１」を加算したものであったときは、第２、第３、第４フレームでの階調値は、図８（ｂ）〜（ｄ）のようになる。
【００２７】
また、図９（ａ）に示すように、第１フレームでの階調値の内の１２個が階調値ｄ０に「１」を加算したものであったときは、第２、第３、第４フレームでの階調値は、図９（ｂ）〜（ｄ）のようになる。
【００２８】
このようにして、４フレームトータルでの輝度が階調値Ｄに応じたものになる。
【００２９】
また、１個の階調値Ｄで複数の液晶画素１１１の輝度を制御するディザという方法とフレームレートコントロールを組み合わせることで表示のちらつきを軽減することができる。
【００３０】
図１０は、ノーマリホワイトの場合の液晶への印加電圧と輝度の関係の一例を示す図である。ここでは、１００％換算した輝度を示す。
【００３１】
図１０に示すように、輝度は、印加電圧が最も低い範囲と最も高い範囲では、印加電圧に対して非線形に変化し、その間の範囲では線形に変化する。
【００３２】
図１１は、階調値Ｄを横軸にとり、印加電圧を階調値Ｄに応じたものにしたときの輝度と、印加電圧を６５階調の階調値に応じたものにしたときの輝度との差を示すオフセットを縦軸にとったグラフである。
【００３３】
図１０に示した特性に起因して、図１１に示すように、オフセットの絶対値は、最も低い階調値範囲と最も高い階調値範囲では大きくなり、その間の範囲では小さくなる。
【００３４】
このように、最も低い階調値範囲と最も高い階調値範囲でオフセットの絶対値が大きくなることで、メモリ部１２の画像データに対する表示画像の再現性が悪化する。
【００３５】
再現性悪化を防止するには、フレームレートコントロールやディザを採用せず、階調値Ｄがどのような値であっても、液晶画素をその階調値Ｄに応じた輝度に制御すればよい。
【００３６】
しかしながら、図１０に示すように、印加電圧に対して輝度が線形に変化する範囲では、印加電圧に対する輝度の変化率が大きいので、階調値ＤのＤＡ変換つまり８ビットのＤＡ変換に高い精度が要求され、回路規模も大きくなってしまう。
【００３７】
本発明は、上記の課題に鑑みてなされたものであり、その目的とするところは、高い精度のデジタルアナログ変換が不要であり且つ液晶の特性に起因して表示画像の再現性が悪化するのを防止できる液晶表示装置と液晶ドライバを提供することにある。
【課題を解決するための手段】
【００３８】
上記の課題を解決するために、本発明では、第１階調値が予め定められた最も高い階調値範囲または最も低い階調値範囲に含まれない場合は、例えば、フレームレートコントロールにより、液晶画素の輝度を複数の第２階調値のそれぞれに応じたものに順次する。あるいは、ディザにより、複数の液晶画素のそれぞれの輝度を第２階調値に応じたものにする。あるいは、フレームレートコントロールとディザにより、複数の液晶画素のそれぞれの輝度を複数の第２階調値のそれぞれに応じたものに順次する。一方、第１階調値が最も高い階調値範囲または最も低い階調値範囲に含まれる場合は、当該液晶画素の輝度を当該第１階調値に応じたものにする。
【００３９】
これにより、第１階調値からのデジタルアナログ変換は、第１階調値が当該階調値範囲に含まれる場合にのみ必要となる。この範囲では輝度の変化率が小さいので、高い変換精度が必要なく、よって、規模の大きな変換回路が不要である。
【００４０】
また、液晶画素の輝度を第１階調値に応じたものにすることで、当該範囲において輝度が非線形に変化する液晶の特性に起因して、表示画像の再現性が悪化するのを防ぐことができる。
【発明の効果】
【００４１】
本発明によれば、液晶画素の輝度を定めるための第１階調値が予め定められた最も高い階調値範囲または最も低い階調値範囲に含まれる場合は、液晶画素の輝度を第１階調値に応じたものにするので、高い精度のデジタルアナログ変換が不要であり且つ液晶の特性に起因して表示画像の再現性が悪化するのを防止できる。
【発明を実施するための最良の形態】
【００４２】
以下、本発明の実施の形態を図面を参照して説明する。
【００４３】
図１は、本発明の実施の形態に係る液晶表示装置の構成図である。
【００４４】
図１の液晶表示装置１は、液晶を用いた液晶画素１１１をマトリクス状に配置してなる液晶パネル１１と、８ビットの階調値Ｄを備えてなる画像データを記憶したメモリ部１２と、各液晶画素１１１の輝度を制御する液晶ドライバ１３とを備える。
【００４５】
液晶ドライバ１３は、メモリ部１２に記憶された画像データの階調値Ｄを基に６５階調の階調値を生成する階調値生成部１３１と、６５階調の階調値または階調値Ｄで液晶画素１１１の輝度を制御する輝度制御部１３２とを備える。階調値生成部１３１は、階調値生成手段に相当し、輝度制御部１３２は輝度制御手段に相当する。階調値Ｄは、２５６階調を表現でき、よって、第１階調値に相当する。一方、６５階調の階調値は第２階調値に相当する。
【００４６】
図１の液晶表示装置１は、図３の液晶表示装置１Ａの機能を備えており、よって、該機能の説明は簡略化し、図１の液晶表示装置１に特有の機能を中心に説明する。
【００４７】
［第１の実施の形態］
まず、第１の実施の形態として、図１の液晶表示装置１が、フレームレートコントロールにより、液晶画素の輝度を制御する場合の動作を説明する。
【００４８】
ここでは、各液晶画素１１１に対応する８ビットの階調値Ｄを備えてなる画像データがメモリ部１２に記憶されていることとする。
【００４９】
図１の液晶表示装置１では、まず、輝度制御部１３２が、メモリ部１２の各階調値Ｄについて、この階調値Ｄが予め定められた最も高い階調値範囲または最も低い階調値範囲に含まれるか否かを判定する。
【００５０】
ノーマリホワイトの液晶表示装置で、階調値が高いほど輝度が低くなるようにする場合、最も高い階調値範囲とは、その階調値範囲に含まれる階調値Ｄに対応する印加電圧が、図１０において輝度が非線形に変化する２つの印加電圧範囲の内の高い方の印加電圧範囲に含まれるときの階調値範囲をいう。一方、最も低い階調値範囲とは、その階調値範囲に含まれる階調値Ｄに対応する印加電圧が、図１０において輝度が非線形に変化する２つの印加電圧範囲の内の低い方の印加電圧範囲に含まれるときの階調値範囲をいう。
【００５１】
例えば、輝度制御部１３２は、階調値「１２」と階調値「２４４」を予め記憶しており、階調値Ｄが階調値「１２」以下、階調値Ｄが階調値「２４４」以上のいずれか条件を満たすか否かを判定する。
【００５２】
条件を満たさないと判定された階調値Ｄに対応する液晶画素１１１については、図３の階調値生成部１３１が行ったようにして、階調値生成部１３１が、６５階調の階調値ｄ１〜ｄ４またはｄ０’を生成する。
【００５３】
そして、図３の輝度制御部１３２Ａが行ったようにして、輝度制御部１３２が、液晶画素１１１の液晶への印加電圧および輝度を各階調値ｄ１〜ｄ４に応じたものに順次にする。あるいは、輝度制御部１３２が、各フレームを通じて、液晶画素１１１の液晶への印加電圧および輝度を階調値ｄ０’に応じたものにする。
【００５４】
一方、条件を満たすと判定された階調値Ｄに対応する液晶画素１１１については、輝度制御部１３２は、階調値Ｄを電圧へデジタルアナログ変換（ＤＡ変換）し、その電圧を各フレームを通じて、当該液晶画素１１１に対応する走査線Ｙが駆動される水平走査期間に当該液晶画素１１１に対応する信号線Ｘに与えることで、当該走査線駆動により導通したトランジスタを介して当該液晶画素１１１の画素電極の電圧を制御し、これにより、当該液晶画素１１１の輝度を階調値Ｄに応じたものにする。
【００５５】
なお、輝度制御部１３２は、例えば、階調値Ｄ「２５５」から変換した電圧と、６５階調の階調値「６４」から変換した電圧とが同じになるようにＤＡ変換を行う。
【００５６】
図２は、このような輝度制御の方法を示す図である。
【００５７】
図２では、階調値Ｄが「２４４」以上または「１２」以下であるときは、各フレームを通じて、対応する液晶画素１１１の輝度が、この階調値Ｄに応じた輝度に制御されることを、階調値Ｄの欄の値と制御欄の値を同じにすることで示している。
【００５８】
また、図２では、ある階調値Ｄにおいては、各フレームを通じて、液晶画素１１１の輝度が階調値ｄ０’に応じた輝度に制御されることを、制御欄に、その階調値ｄ０’の値（「６０」など）を表示することで示している。
【００５９】
また、図２では、ある階調値Ｄにおいては、液晶画素１１１の輝度が、フレームごとの階調値ｄ１〜ｄ４に応じた輝度に制御され、それらの階調値の中の１個が、階調値ｄ０に「１」を加算したものとなっていることを、制御欄に１／４ＦＲＣ（フレームレートコントロール：Frame Rate Control）を表示することで示している。
【００６０】
また、図２では、ある階調値Ｄにおいては、液晶画素１１１の輝度が、フレームごとの階調値ｄ１〜ｄ４に応じた輝度に制御され、それらの階調値の中の２個が、階調値ｄ０に「１」を加算したものとなっていることを、制御欄に２／４ＦＲＣを表示することで示している。
【００６１】
また、図２では、ある階調値Ｄにおいては、液晶画素１１１の輝度が、フレームごとの階調値ｄ１〜ｄ４に応じた輝度に制御され、それらの階調値の中の３個が、階調値ｄ０に「１」を加算したものとなっていることを、制御欄に３／４ＦＲＣを表示することで示している。
【００６２】
また、第１の実施の形態では、この動作を繰り返し行うことで、静止画としての表示が行われる。また、この動作を複数の画像データについて順次に行うことで、動画としての表示が行われる。
【００６３】
したがって、第１の実施の形態によれば、階調値Ｄが予め定められた最も高い階調値範囲または最も低い階調値範囲に含まれる場合でのみ８ビットのＤＡ変換が必要であり、この範囲では輝度の変化率が小さいので、高い変換精度が必要なく、よって、規模の大きなＤＡ変換回路が不要である。
【００６４】
また、階調値Ｄが予め定められた最も高い階調値範囲または最も低い階調値範囲に含まれる場合に液晶画素の輝度を階調値Ｄに応じたものにすることで、当該範囲において輝度が非線形に変化する液晶の特性に起因して、表示画像の再現性が悪化するのを防ぐことができる。
【００６５】
なお、第１の実施の形態では、フレームレートコントロールを行うべき階調値Ｄから６５階調の階調値を４個生成し、輝度制御の回数を４回としたが、個数と回数を変えて実施してもよい。
【００６６】
［第２の実施の形態］
次に、第２の実施の形態として、図１の液晶表示装置１と同様の構成をもつ液晶表示装置（液晶表示装置１という）が、フレームレートコントロールとディザを組み合わせて、液晶画素１１１の輝度を制御する場合の動作を説明する。
【００６７】
ここでは、一塊となった合計１６個の液晶画素１１１毎に階調値Ｄを備えてなる画像データがメモリ部１２に記憶されていることとする。
【００６８】
まず、輝度制御部１３２が、第１の実施の形態と同様に、メモリ部１２の階調値Ｄについて、この階調値Ｄが予め定められた最も高い階調値範囲または最も低い階調値範囲に含まれるか否かを判定する。これらの階調値範囲は、第１の実施の形態と同様に、図１０のような特性を基にして決定される。
【００６９】
条件を満たさないと判定された階調値Ｄに対応する液晶画素１１１については、図３の階調値生成部１３１が行ったようにして、階調値生成部１３１が、６５階調の階調値を６４個生成する。
【００７０】
そして、図３の輝度制御部１３２Ａが行ったようにして、輝度制御部１３２が、１６個の液晶画素１１１の液晶への印加電圧および輝度を制御する。
【００７１】
一方、条件を満たすと判定された階調値Ｄに対応する液晶画素１１１については、輝度制御部１３２は、階調値Ｄを電圧へデジタルアナログ変換（ＤＡ変換）し、その電圧を各フレームを通じて、当該液晶画素１１１に対応する走査線Ｙが駆動される水平走査期間に当該液晶画素１１１に対応する信号線Ｘに与えることで、当該走査線駆動により導通したトランジスタを介して当該液晶画素１１１の画素電極の電圧を制御し、これにより、当該液晶画素１１１の輝度を階調値Ｄに応じたものにする。
【００７２】
第１の実施の形態で参照した図２は、第２の実施の形態での輝度制御の方法も示している。
【００７３】
つまり、第２の実施の形態でも、階調値Ｄが「２４４」以上または「１２」以下であるときは、各フレームを通じて、液晶画素１１１の輝度が、この階調値Ｄに応じた輝度に制御されることを、階調値Ｄの欄の値と制御欄の値を同じにすることで示している。
【００７４】
また、図２では、ある階調値Ｄにおいては、図７に示したように、この階調値Ｄから生成された全ての６５階調の階調値が、階調値ｄ０に「０」を加算したものであることを、制御欄に、その６５階調の階調値の値（「６０」など）を表示することで示している。
【００７５】
また、図２では、ある階調値Ｄにおいては、図６に示したように、この階調値Ｄから生成された６５階調の階調値のうちの１／４が、階調値ｄ０に「１」を加算したものであることを、制御欄に１／４ＦＲＣを表示することで示している。
【００７６】
また、図２では、ある階調値Ｄにおいては、図８に示したように、この階調値Ｄから生成された６５階調の階調値のうちの２／４が、階調値ｄ０に「１」を加算したものであることを、制御欄に２／４ＦＲＣを表示することで示している。
【００７７】
また、図２では、ある階調値Ｄにおいては、図９に示したように、この階調値Ｄから生成された６５階調の階調値のうちの３／４が、階調値ｄ０に「１」を加算したものであることを、制御欄に３／４ＦＲＣを表示することで示している。
【００７８】
また、第２の実施の形態でも、この動作を繰り返し行うことで、静止画としての表示が行われる。また、この動作を複数の画像データについて順次に行うことで、動画としての表示が行われる。
【００７９】
したがって、第２の実施の形態によれば、階調値Ｄが予め定められた最も高い階調値範囲または最も低い階調値範囲に含まれる場合でのみ８ビットのＤＡ変換が必要であり、この範囲では輝度の変化率が小さいので、高い変換精度が必要なく、よって、規模の大きなＤＡ変換回路が不要である。
【００８０】
また、階調値Ｄが予め定められた最も高い階調値範囲または最も低い階調値範囲に含まれる場合に液晶画素の輝度を階調値Ｄに応じたものにすることで、当該範囲において輝度が非線形に変化する液晶の特性に起因して、表示画像の再現性が悪化するのを防ぐことができる。
【００８１】
なお、第２の実施の形態では、同一の階調値Ｄから６５階調の階調値を６４個生成し、輝度制御の回数を４回としたが、個数と回数を変えて実施してもよい。
【００８２】
例えば、個数を複数とし、輝度制御の回数を１回とし、つまり、ディザだけで輝度制御を行ってもよい。
【００８３】
また、第１、第２の実施の形態では、階調値Ｄが予め定められた最も高い階調値範囲または最も低い階調値範囲に含まれるか否かを閾値で判定したが、図２のような構成の記憶部を液晶表示装置内に設け、この記憶部を参照して、階調値Ｄが当該範囲に含まれるか否かを判定してもよい。
【００８４】
また、第１、第２の実施の形態では、ノーマリホワイトの液晶表示装置で、階調値が高いほど輝度を低くする例を説明したが、ノーマリブラックの液晶表示装置で、階調値が高いほど輝度を高くする制御を行ってもよい。
【００８５】
また、第１、第２の実施の形態では、液晶ドライバと液晶パネルとが分かれていることとして説明したが、液晶ドライバを液晶パネルと一体的に形成してもよい。
【００８６】
また、第１、第２の実施の形態では、表示色については言及しなかったが、この技術をモノクロ、カラーいずれの液晶表示装置に採用してもよい。
【図面の簡単な説明】
【００８７】
【図１】本発明の実施の形態に係る液晶表示装置の構成図である。
【図２】本発明の実施の形態にかかる輝度制御の方法を示す図である。
【図３】本発明の比較例とした液晶表示装置の構成図である。
【図４】階調値Ｄと階調値ｄ１〜ｄ４の対応表である。
【図５】フレームレートコントロールによる動作の説明図である。
【図６】第１フレームの階調値の内の４個が階調値ｄ０に「１」を加算したものであったときの各フレームの階調値を示す図である。
【図７】第１フレームの階調値の全てが階調値ｄ０に「０」を加算したものであったときの各フレームの階調値を示す図である。
【図８】第１フレームの階調値の内の８個が階調値ｄ０に「１」を加算したものであったときの各フレームの階調値を示す図である。
【図９】第１フレームの階調値の内の１２個が階調値ｄ０に「１」を加算したものであったときの各フレームの階調値を示す図である。
【図１０】ノーマリホワイトの場合の液晶への印加電圧と輝度の関係の一例を示す図である。
【図１１】階調値Ｄを横軸にとり、オフセットを縦軸にとったグラフである。
【符号の説明】
【００８８】
１  液晶表示装置
１１  液晶パネル
１２  メモリ部
１３  液晶ドライバ
１１１  液晶画素
１３１  階調値生成部
１３２  輝度制御部
Ｄ  ８ビット（２５６階調）の階調値
ｄ０  ６４階調の階調値
ｄ０’、ｄ１〜ｄ４  ６５階調の階調値
【図１】
2007183510.tif 000003
【図２】
2007183510.tif 000004
【図３】
2007183510.tif 000005
【図４】
2007183510.tif 000006
【図５】
2007183510.tif 000007
【図６】
2007183510.tif 000008
【図７】
2007183510.tif 000009
【図８】
2007183510.tif 000010
【図９】
2007183510.tif 000011
【図１０】
2007183510.tif 000012
【図１１】
2007183510.tif 000013